(57)【要約】【課題】予め呼び出したデータテンプレートを基にしてパラメータの設定値を適宜修正する際、特に有用な情報を作業者に提示可能なパラメータ設定支援システム、方法及びプログラムを提供する。【解決手段】過去に複数回設定されたパラメータの確定値の集合体（確定値データ６４）と、データテンプレート６２を構成する初期値の集合体との間における複数の差分データに対して統計処理を実行し、この統計処理の結果を示す結果画像１６４〜１６６、１８４、１８６を作成する。そして、ユーザ・インターフェース部６０にてデータテンプレート６２を新たに呼び出して初期値の集合体を表示する際に、結果画像１６４〜１６６、１８４、１８６を同時に表示する。【選択図】図１０
2015069489.tif 000002
【特許請求の範囲】
【請求項１】
印刷に関するパラメータの初期値の集合体であるデータテンプレートを取得するテンプレート取得部と、
前記テンプレート取得部により取得された前記データテンプレートを呼び出して前記初期値の集合体を表示すると共に、前記パラメータの各値を変更自在であるユーザ・インターフェース部と、
前記ユーザ・インターフェース部を介して過去に複数回設定された前記パラメータの確定値の集合体と、前記データテンプレートを構成する前記初期値の集合体との間における複数の差分データに対して統計処理を実行する差分統計処理部と、
前記差分統計処理部による前記統計処理の結果を示す結果画像を作成する結果画像作成部と
を備え、
前記ユーザ・インターフェース部にて前記データテンプレートを新たに呼び出して前記初期値の集合体を表示する際に、前記結果画像作成部により作成された前記結果画像を同時に表示する
ことを特徴とするパラメータ設定支援システム。
【請求項２】
請求項１記載のシステムにおいて、
前記ユーザ・インターフェース部は、前記結果画像を指示する操作に応じて、前記統計処理の対象である前記パラメータの値を変更自在なユーザコントロールを呼び出して表示することを特徴とするパラメータ設定支援システム。
【請求項３】
請求項１記載のシステムにおいて、
前記ユーザ・インターフェース部は、前記統計処理の対象である前記パラメータの値を変更自在なユーザコントロールと共に、前記結果画像を同時に表示することを特徴とするパラメータ設定支援システム。
【請求項４】
請求項１〜３のいずれか１項に記載のシステムにおいて、
前記結果画像作成部は、ヒストグラム又はバーグラフを示す前記結果画像を前記パラメータ毎に作成することを特徴とするパラメータ設定支援システム。
【請求項５】
請求項１〜４のいずれか１項に記載のシステムにおいて、
前記結果画像作成部は、前記確定値が前記初期値と異なる頻度が高い順又は低い順に、複数の前記パラメータをソートした前記結果画像を作成することを特徴とするパラメータ設定支援システム。
【請求項６】
印刷に関するパラメータの各値を変更自在であるユーザ・インターフェース部を有するシステムを用いた方法であって、
前記パラメータの初期値の集合体であるデータテンプレートを取得する取得ステップと、
取得された前記データテンプレートを呼び出して前記初期値の集合体を前記ユーザ・インターフェース部に表示する表示ステップと、
過去に複数回設定された前記パラメータの確定値の集合体と、前記データテンプレートを構成する前記初期値の集合体との間における複数の差分データに対して統計処理を実行する処理ステップと、
前記統計処理の結果を示す結果画像を作成する作成ステップと
を備え、
前記表示ステップでは、前記データテンプレートを新たに呼び出して前記初期値の集合体を表示する際に、作成された前記結果画像を同時に表示する
ことを特徴とするパラメータ設定支援方法。
【請求項７】
印刷に関するパラメータの各値を変更自在であるユーザ・インターフェース部を有するシステムに、
前記パラメータの初期値の集合体であるデータテンプレートを取得する取得ステップと、
取得された前記データテンプレートを呼び出して前記初期値の集合体を前記ユーザ・インターフェース部に表示する表示ステップと、
過去に複数回設定された前記パラメータの確定値の集合体と、前記データテンプレートを構成する前記初期値の集合体との間における複数の差分データに対して統計処理を実行する処理ステップと、
前記統計処理の結果を示す結果画像を作成する作成ステップと
を実行させ、
前記表示ステップでは、前記データテンプレートを新たに呼び出して前記初期値の集合体を表示する際に、作成された前記結果画像を同時に表示する
ことを特徴とするパラメータ設定支援プログラム。
【発明の詳細な説明】
【技術分野】
【０００１】
この発明は、各種パラメータ、特に印刷に関するパラメータの設定操作を支援するパラメータ設定支援システム、方法及びプログラムに関する。
【背景技術】
【０００２】
近時、印刷分野において、ＤＴＰ（DeskTop Publishing）やＣＴＰ（Computer To Plate）の普及により、印刷工程のワークフローが全体的にデジタル化されている。特に、印刷に関するパラメータの種類及び選択肢の組み合わせ数は膨大であるため、実行しようとする印刷ジョブを生成する都度に、すべてのパラメータを設定することは煩に堪えない。そこで、パラメータの典型値の集合体をデータテンプレートとして予め記憶しておき、各印刷ジョブに適したデータテンプレートを呼び出して利用する手法が種々提案されている。
【０００３】
特許文献１では、初期設定内容と現在設定内容の間に違いが存在する場合、その差分の内容及び項目を抽出し、１つの設定画面に一括して表示させる手法が提案されている。
【０００４】
特許文献２では、デフォルトの印刷条件を変更した場合にユーザにその理由を入力させ、変更後の印刷条件及び当該理由をログデータとして記憶・管理する手法が提案されている。
【先行技術文献】
【特許文献】
【０００５】
【特許文献１】特開２００３−２１６３６２号公報
【特許文献２】特開２０１１−１１８８１７号公報
【発明の概要】
【発明が解決しようとする課題】
【０００６】
ところで、データテンプレートを利用する際、初期値をそのまま使用する頻度が高いパラメータも存在すれば、初期値から変更される頻度が高いパラメータも存在する。しかしながら、特許文献１及び２に記載された手法では、このような傾向を把握することが難しいため、印刷ジョブを新たに生成する都度、変更頻度が高いパラメータの設定箇所を探した上で設定値を変更する必要があり、作業の煩に堪えなかった。
【０００７】
本発明は、上記した課題を解決するためになされたものであり、予め呼び出したデータテンプレートを基にしてパラメータの設定値を適宜修正する際、特に有用な情報を作業者に提示可能なパラメータ設定支援システム、方法及びプログラムを提供することを目的とする。
【課題を解決するための手段】
【０００８】
本発明に係るパラメータ設定支援システムは、印刷に関するパラメータの初期値の集合体であるデータテンプレートを取得するテンプレート取得部と、上記テンプレート取得部により取得された上記データテンプレートを呼び出して上記初期値の集合体を表示すると共に、上記パラメータの各値を変更自在であるユーザ・インターフェース部と、上記ユーザ・インターフェース部を介して過去に複数回設定された上記パラメータの確定値の集合体と、上記データテンプレートを構成する上記初期値の集合体との間における複数の差分データに対して統計処理を実行する差分統計処理部と、上記差分統計処理部による上記統計処理の結果を示す結果画像を作成する結果画像作成部とを備え、上記ユーザ・インターフェース部にて上記データテンプレート新たに呼び出して上記初期値の集合体を表示する際に、上記結果画像作成部により作成された上記結果画像を同時に表示する。
【０００９】
このように、過去に複数回設定されたパラメータの確定値の集合体と、データテンプレートを構成する初期値の集合体との間における複数の差分データに対して統計処理を実行し、この統計処理の結果を示す結果画像を作成するようにしたので、作業者は、パラメータの差分（変更分）の統計量を示す結果画像を視認することで、過去に複数回設定されたパラメータの傾向を容易に把握可能である。これにより、予め呼び出したデータテンプレートを基にしてパラメータの設定値を適宜修正する際、特に有用な情報を作業者に提示できる。
【００１０】
また、上記ユーザ・インターフェース部は、上記結果画像を指示する操作に応じて、上記統計処理の対象である上記パラメータの値を変更自在なユーザコントロールを呼び出して表示することが好ましい。
【００１１】
また、上記ユーザ・インターフェース部は、上記統計処理の対象である上記パラメータの値を変更自在なユーザコントロールと共に、上記結果画像を同時に表示することが好ましい。
【００１２】
また、上記結果画像作成部は、ヒストグラム又はバーグラフを示す上記結果画像を上記パラメータ毎に作成することが好ましい。
【００１３】
また、上記結果画像作成部は、上記確定値が上記初期値と異なる頻度が高い順又は低い順に、複数の上記パラメータをソートした上記結果画像を作成することが好ましい。
【００１４】
本発明に係るパラメータ設定支援方法は、印刷に関するパラメータの各値を変更自在であるユーザ・インターフェース部を有するシステムを用いた方法であって、上記パラメータの初期値の集合体であるデータテンプレートを取得する取得ステップと、取得された上記データテンプレートを呼び出して上記初期値の集合体を上記ユーザ・インターフェース部に表示する表示ステップと、過去に複数回設定された上記パラメータの確定値の集合体と、上記データテンプレートを構成する上記初期値の集合体との間における複数の差分データに対して統計処理を実行する処理ステップと、上記統計処理の結果を示す結果画像を作成する作成ステップとを備え、上記表示ステップでは、上記データテンプレートを新たに呼び出して上記初期値の集合体を表示する際に、作成された上記結果画像を同時に表示する。
【００１５】
本発明に係るパラメータ設定支援プログラムは、印刷に関するパラメータの各値を変更自在であるユーザ・インターフェース部を有するシステムに、上記パラメータの初期値の集合体であるデータテンプレートを取得する取得ステップと、取得された上記データテンプレートを呼び出して上記初期値の集合体を上記ユーザ・インターフェース部に表示する表示ステップと、過去に複数回設定された上記パラメータの確定値の集合体と、上記データテンプレートを構成する上記初期値の集合体との間における複数の差分データに対して統計処理を実行する処理ステップと、上記統計処理の結果を示す結果画像を作成する作成ステップとを実行させ、上記表示ステップでは、上記データテンプレートを新たに呼び出して上記初期値の集合体を表示する際に、作成された上記結果画像を同時に表示する。
【発明の効果】
【００１６】
本発明に係るパラメータ設定支援システム、方法及びプログラムによれば、過去に複数回設定されたパラメータの確定値の集合体と、データテンプレートを構成する初期値の集合体との間における複数の差分データに対して統計処理を実行し、この統計処理の結果を示す結果画像を作成するようにしたので、作業者は、パラメータの差分（変更分）の統計量を示す結果画像を視認することで、過去に複数回設定されたパラメータの傾向を容易に把握可能である。これにより、予め呼び出したデータテンプレートを基にしてパラメータの設定値を適宜修正する際、特に有用な情報を作業者に提示できる。
【図面の簡単な説明】
【００１７】
【図１】第１実施形態に係るパラメータ設定支援システムを組み込んだ印刷物生産システムの全体構成図である。
【図２】図１に示す作業端末の電気的なブロック図である。
【図３】図１に示すサーバ装置の電気的なブロック図である。
【図４】図１に示すパラメータ設定支援システムの動作説明に供されるフローチャートである。
【図５】印刷ジョブの編集画面を示す画像図である。
【図６】パラメータの設定画面を示す第１の画像図である。
【図７】パラメータの設定画面を示す第２の画像図である。
【図８】パラメータの初期値及び確定値の一例を示す模式図である。
【図９】図３に示す差分統計処理部の動作に関する概略ブロック図である。
【図１０】第１表示例におけるウィンドウの正面図である。
【図１１】第２表示例におけるウィンドウの正面図である。
【図１２】第２実施形態に係るパラメータ設定支援システムを組み込んだ印刷物生産システムの全体構成図である。
【図１３】図１２に示すサーバ装置の電気的なブロック図である。
【図１４】図１２に示すパラメータ設定支援システムの動作説明に供されるフローチャートである。
【発明を実施するための形態】
【００１８】
以下、本発明に係るパラメータ設定支援方法について、それを実施するパラメータ設定支援システム及びパラメータ設定支援プログラムとの関係において好適な実施形態を挙げ、添付の図面を参照しながら詳細に説明する。
【００１９】
＜第１実施形態＞
先ずは、第１実施形態に係るパラメータ設定支援システムについて、図１〜図１１を参照しながら説明する。
【００２０】
［印刷物生産システム１０の全体構成図］
図１は、第１実施形態に係るパラメータ設定支援システム３８を組み込んだ印刷物生産システム１０の全体構成図である。
【００２１】
印刷物生産システム１０内には、ネットワーク１２との接続を中継する機器であるルータ１４と、外部ネットワークに属する図示しない各端末装置からネットワーク１２を介してアクセス可能なサーバ装置１６と、サーバ装置１６等から取得したコンテンツデータに対して各種情報処理を実行する作業端末１８と、印刷処理機能を有するプリントサーバ２０と、プリントサーバ２０からの出力用データに基づいて印刷物２２を形成可能である印刷装置２４とが設けられている。
【００２２】
サーバ装置１６は、印刷物生産システム１０におけるワークフロー管理の中核をなす装置である。サーバ装置１６は、印刷物生産システム１０内に構築されたＬＡＮ（Local Area Network）２６を介して、作業端末１８及びプリントサーバ２０に通信可能に接続されている。また、サーバ装置１６は、ルータ１４及びネットワーク１２を介して、デザイナ又は制作会社が備える各端末装置（図示しない）に通信可能に接続されてもよい。
【００２３】
また、サーバ装置１６には、ワークフローに関わる各種データを記憶可能なストレージ装置２８が接続されている。ストレージ装置２８には、例えば、コンテンツデータ、出力用データ（例えば、製版用データ、刷版用データ、又は校正用データ）、ジョブチケット｛例えば、ＪＤＦ（Job Definition Format）ファイル｝、カラープロファイル、色見本データ等が記憶されている。本図例では、ストレージ装置２８内には、データテンプレート６２（図２）に関するデータベース（以下、テンプレートＤＢ３０）及び確定値データ６４（同図）に関するデータベース（以下、確定値ＤＢ３２）が構築されている。
【００２４】
作業端末１８は、文字、図形、絵柄、写真等から構成されるコンテンツデータに対してプリフライト処理を施した後、ページ単位のデータ（ページデータ）を作成可能な装置である。また、作業端末１８は、ジョブチケットのタグ情報を参照しながら、指定された綴じ方法や紙折り方法に応じた面付け処理を実行する。
【００２５】
プリントサーバ２０は、面付け処理がなされた製版データ等に対してＲＩＰ（Raster Image Processing）処理を施すと共に、得られた出力用データを印刷装置２４側に供給する。
【００２６】
印刷装置２４は、プリントサーバ２０から供給された出力用データに基づき、印刷媒体３４上に画像が形成された印刷物２２を出力する。印刷媒体３４の種類として、合成紙・厚紙・アルミ蒸着紙等の紙類のみならず、塩化ビニル・ＰＥＴ（ポリエチレンテレフタラート）等の樹脂、ターポリン、金属シート等が存在する。
【００２７】
印刷装置２４が校正機である場合、ＤＤＣＰ（Direct Digital Color Proofing）、インクジェットカラープルーファ、低解像度のカラーレーザプリンタ（電子写真方式）又はインクジェットプリンタ等を用いてもよい。
【００２８】
印刷装置２４が凸版印刷機である場合、刷版３６及び図示しない中間転写体を介してインキを付着させることで、印刷媒体３４上に画像が形成された印刷物２２を出力する。
【００２９】
印刷装置２４がデジタル印刷機の場合、刷版３６を生成することなく直接的に印刷物２２を出力可能である。デジタル印刷機としては、インクジェット印刷機、ワイドフォーマット印刷機、インクジェットカラープルーファ、カラーレーザプリンタ等を用いてもよい。
【００３０】
ここで、サーバ装置１６、作業端末１８及びストレージ装置２８は、印刷に関する各種パラメータの設定操作を支援するためのパラメータ設定支援システム３８を構成する。本明細書中における「パラメータ」は、印刷、紙折り、綴じ、断裁、表面加工の各工程を含む、印刷物２２の生産に関わる制御変数を意味する。
【００３１】
オフセット印刷の場合、色変換処理に関わるパラメータとして、例えば、印刷装置２４、印刷媒体３４、刷版３６、インキ、網種、解像度、スクリーン線数、角度セット、ドットゲインカーブ、カラープロファイル、オーバープリント、トラッピング等が挙げられる。
【００３２】
また、パラメータには、印刷処理に直接的に関与するデータのみならず、これらのデータに付随するデータ（いわゆるメタデータ）が含まれてもよい。メタデータの一例として、顧客名、印刷ジョブ、制作物の種別が挙げられる。
【００３３】
［作業端末１８の電気的なブロック図］
図２は、図１に示す作業端末１８の電気的なブロック図である。作業端末１８は、基本的には、端末側制御部５０と、端末側Ｉ／Ｆ５２と、入力部５４と、表示部５６と、端末側メモリ５８（記憶媒体）を備えるコンピュータである。
【００３４】
端末側Ｉ／Ｆ５２は、外部装置からの電気信号を送受信するインターフェースである。これにより、作業端末１８は、各種データ（例えば、データテンプレート６２）をサーバ装置１６（図１）から取得可能であり、各種データ（例えば、確定値データ６４）をサーバ装置１６に供給可能である。
【００３５】
入力部５４は、マウス、トラックボール、キーボード、タッチセンサ等の種々の入力デバイスで構成される。表示部５６は、液晶、有機ＥＬ（electro-luminescence）、陰極線管（ＣＲＴ）を含む、種々の方式を採用する出力デバイスで構成される。ここで、入力部５４による入力機能及び表示部５６による表示機能を組み合わせることで、パラメータの各値を変更自在であるユーザ・インターフェース部６０を実現する。
【００３６】
端末側メモリ５８は、端末側制御部５０が各構成要素を制御するのに必要なプログラム及びデータ等を記憶している。本図例では、データテンプレート６２、確定値データ６４及び差分統計データ６６がそれぞれ格納されている。
【００３７】
端末側メモリ５８は、非一過性であり、且つ、コンピュータ読み取り可能な記憶媒体で構成されてもよい。ここで、コンピュータ読み取り可能な記憶媒体は、光磁気ディスク、ＲＯＭ、ＣＤ−ＲＯＭ、フラッシュメモリ等の可搬媒体、コンピュータシステムに内蔵されるハードディスク等の記憶装置である。また、この記憶媒体は、短時間に且つ動的にプログラムを保持するものであっても、一定時間プログラムを保持するものであってもよい。
【００３８】
端末側制御部５０は、ＣＰＵ（Central Processing Unit）等の情報処理装置（いわゆるプロセッサ）によって構成されている。端末側制御部５０は、端末側メモリ５８に格納されたプログラムを読み出し実行することで、呼び出し対象であるデータテンプレート６２を取得するテンプレート取得部６８、及び、ウィンドウＷ１（図５等）の画像等を表示するための表示用データを作成する表示用データ作成部７０（画面作成部７２、結果画像作成部７４を含む）の各機能を実現可能である。
【００３９】
［サーバ装置１６の電気的なブロック図］
図３は、図１に示すサーバ装置１６の電気的なブロック図である。サーバ装置１６は、基本的には、制御部８０と、通信Ｉ／Ｆ８２と、接続Ｉ／Ｆ８４と、メモリ８６（記憶媒体）を備えるコンピュータである。
【００４０】
通信Ｉ／Ｆ８２は、外部装置からの電気信号を送受信するインターフェースである。これにより、サーバ装置１６は、各種データ（例えば、図２の確定値データ６４）を作業端末１８（図１）から取得可能であり、各種データ（例えば、差分統計データ６６）を作業端末１８に供給可能である。
【００４１】
接続Ｉ／Ｆ８４は、ストレージ装置２８との間でデータファイルの授受を行うためのインターフェースである。これにより、ストレージ装置２８は、サーバ装置１６からの要求に応じて、例えば、呼び出し対象であるデータテンプレート６２及び確定値データ６４を選択的に供給可能である。
【００４２】
メモリ８６は、制御部８０が各構成要素を制御するのに必要なプログラム及びデータ等を記憶している。本図例では、差分統計データ６６が格納されている。メモリ８６は、端末側メモリ５８（図２）と同様に、非一過性であり、且つ、コンピュータ読み取り可能な記憶媒体で構成されてもよい。
【００４３】
制御部８０は、ＣＰＵ（Central Processing Unit）等の情報処理装置によって構成されている。制御部８０は、メモリ８６に格納されたプログラムを読み出し実行することで、差分データを作成するための各種データを取得するデータ取得部８８、及び、該差分データに対して統計処理を実行する差分統計処理部９０の各機能を実現可能である。
【００４４】
［パラメータ設定支援システム３８の動作（前半）］
第１実施形態に係るパラメータ設定支援システム３８は、以上のように構成される。続いて、図２に示す作業端末１８及び図３に示すサーバ装置１６の動作について、図４のフローチャートを主に参照しながら詳細に説明する。
【００４５】
ユーザとしての作業者は、印刷物２２の生産に先立ち、各印刷物２２に適した印刷ジョブ（具体的には、ジョブチケット）をそれぞれ生成する。その際、テンプレートＤＢ３０に予め登録された複数のテンプレート名（データテンプレート６２）の中から、印刷ジョブの実行形態に最も近い１つを選択する場合を想定する。
【００４６】
ここで、データテンプレート６２とは、パラメータの初期値の集合体を意味する。また、初期値（又は後述する確定値）のデータ形式は、数字に限られることなく、例えば文字列であってもよい。
【００４７】
ステップＳ１において、作業者は、呼び出し対象であるテンプレート名を、ユーザ・インターフェース部６０を介して選択する。印刷ジョブの編集を開始する旨の指示に応じて、画面作成部７２は、編集画面１００の表示用データを作成した後、該表示用データを表示部５６に向けて出力する。これにより、表示部５６には、編集画面１００を含むウィンドウＷ１が表示される。
【００４８】
図５に示すように、編集画面１００上には、第１設定欄１０２、第２設定欄１０４、第３設定欄１０６、第４設定欄１０８、及び［中止］［保存］と表記されたボタン群１１０が配置されている。作業者は、入力部５４（図２）を操作させながら各設定欄を介して種々の設定を行うことができる。
【００４９】
第１設定欄１０２の上部には、［追加］と表記されたボタン１１２が配されている。［追加］ボタン１１２のクリック操作をトリガとして、面付け対象であるデータファイルを追加可能である。本図例では、ファイル名が「MobileBill.pdf」であるアイコン１１４が１つ表示されている。
【００５０】
第２設定欄１０４の上部には、［追加］と表記されたボタン１１６が配されている。［追加］ボタン１１６のクリック操作をトリガとして、読み出し対象のページを追加可能である。本図例では、４つのサムネイル１１８、より詳細には、第１ページ目のサムネイル１１８ａ、第２ページ目のサムネイル１１８ｂ、第３ページ目のサムネイル１１８ｃ、第４ページ目のサムネイル１１８ｄが上から順に表示されている。
【００５１】
第３設定欄１０６の上部には、［追加］と表記されたボタン１２０が配されている。［追加］ボタン１２０のクリック操作をトリガとして、ジョブ構造のセクションを追加可能である。階層メニュー１２２には、複数のページが同一の階層レベルに表示される。
【００５２】
第４設定欄１０８には、１つのプルダウンメニュー１２４、［検索］［新規作成］［編集］と表記されたボタン群１２６、［ヘルプ］と表記されたボタン１２８、及び、両面のテンプレート画像１３０（表面画像１３１及び裏面画像１３２）が配されている。本図例では、テンプレート画像１３０は、テンプレート名が「Ｏｒｉｇｉｎａｌ  Ｔｅｍｐｌａｔｅ」である２面付け・両面印刷の形態を模式的に表現している。
【００５３】
作業者は、例えば、プルダウンメニュー１２４を介して１つのテンプレート名を選択した状態下に、ボタン群１２６（特に［編集］ボタン）のクリック操作を実行することで、次のステップ（Ｓ２）に進む。
【００５４】
ステップＳ２において、作業端末１８は、ステップＳ１で選択されたテンプレート名に紐付けられたデータテンプレート６２を取得する。取得に先立ち、作業端末１８は、端末側Ｉ／Ｆ５２を介して、テンプレート名「Ｏｒｉｇｉｎａｌ  Ｔｅｍｐｌａｔｅ」のデータテンプレート６２を要求するための要求信号をサーバ装置１６に向けて送信する。そして、サーバ装置１６は、ＬＡＮ２６、通信Ｉ／Ｆ８２を介して要求信号を受信する。
【００５５】
その後、制御部８０は、ストレージ装置２８（テンプレートＤＢ３０）からデータテンプレート６２を読み出した後、データテンプレート６２を含む通信データを作業端末１８に向けて送出する。これにより、端末側制御部５０（テンプレート取得部６８）は、テンプレート名「Ｏｒｉｇｉｎａｌ  Ｔｅｍｐｌａｔｅ」に紐付けられたデータテンプレート６２を取得可能である。
【００５６】
ステップＳ３において、端末側制御部５０は、後述する「設定支援モード」のオン・オフ状態を判定する。設定支援モードが「オフ」状態であると判定された場合（ステップＳ３：ＯＦＦ）、次のステップ（Ｓ４）に進む。
【００５７】
ステップＳ４において、ユーザ・インターフェース部６０は、ステップＳ２で取得されたデータテンプレート６２を呼び出して、パラメータの初期値の集合体を入力画面１４０上に表示する。設定を開始する旨の指示に応じて、画面作成部７２は、入力画面１４０の表示用データを作成した後、該表示用データを表示部５６に向けて出力する。これにより、表示部５６には、入力画面１４０を含むウィンドウＷ２が表示される。
【００５８】
図６に示すように、入力画面１４０上には、複数のパラメータを設定可能な変数設定欄１４２、及び［閉じる］［保存］と表記されたボタン群１４４が配置されている。作業者は、入力部５４（図２）を操作させながら種々の設定を行うことができる。
【００５９】
変数設定欄１４２内には、複数のメニューアイコンからなるアイコン群１４６と、複数のユーザコントロール１４８〜１５６がそれぞれ配置されている。ユーザコントロール１４８は、ＣＭＹＫ画像における色変換有無（本図では、「あり」）を選択可能なチェックボックスである。ユーザコントロール１４９は、画像コンテンツに適用する入力色空間の種類（本図では、「Ｏｒｉｇｉｎａｌ＿Ａ」）を選択可能なプルダウンメニューである。ユーザコントロール１５０は、レンダリング意図の種類（本図では、「彩度一致」）を選択可能なプルダウンメニューである。
【００６０】
ユーザコントロール１５１〜１５４は、色変換処理の前後にわたる特定色の保存有無（本図では、いずれも「あり」）を選択可能なチェックボックスである。ユーザコントロール１５５は、インク量制限処理のオン・オフのうちいずれか一方（本図では、「オン」）を選択可能なラジオボタンである。ユーザコントロール１５６は、画像全体に適用する入力色空間の種類（本図では、「ｓＲＧＢ」）を選択可能なコントロールボックスである。
【００６１】
ステップＳ５において、作業端末１８は、ユーザ・インターフェース部６０を介する各パラメータの設定を行う。例えば、２つのユーザコントロール１５０、１５５の操作に応じて、図６に示す入力画面１４０の表示形態は、図７に示す表示形態に遷移される。
【００６２】
図７に示すように、ユーザコントロール１５０にて、「彩度一致」に代わって「印象一致」が選択されている。また、ユーザコントロール１５５にて、「ＯＮ」に代わって「ＯＦＦ（オフ）」が選択されている。このように、作業者は、必要に応じて各パラメータの初期値を変更してもよいし、変更することなくそのまま採用してもよい。
【００６３】
なお、パラメータの数及び種類はこれらに限られず、図示しない別の入力画面を介して設定可能である。例えば、アイコン群１４６のクリック操作に応じて、入力画面１４０の描画内容が切り替わることで、他のパラメータの各値を表示・設定変更に構成されてもよい。
【００６４】
ステップＳ６において、サーバ装置１６は、ステップＳ５で設定された確定値データ６４をストレージ装置２８に保存させる。この確定値データ６４は、設定操作により確定されたパラメータの値（すなわち、確定値）の集合体である。
【００６５】
ボタン群１４４（より詳細には［保存］ボタン）のクリック操作に応じて、端末側制御部５０は、入力画面１４０にて現在選択されているパラメータの各値を確定値データ６４として、端末側メモリ５８に一時的に記憶させる。そして、作業端末１８は、端末側Ｉ／Ｆ５２を介して、確定値データ６４を含む通信データをサーバ装置１６に向けて送信する。そして、サーバ装置１６は、ＬＡＮ２６、通信Ｉ／Ｆ８２を介して通信データを受信する。
【００６６】
制御部８０は、通信データの受信により得た確定値データ６４を、接続Ｉ／Ｆ８４を介してストレージ装置２８側に供給する。これにより、ストレージ装置２８は、今回の設定に応じた確定値データ６４を保存することで、この確定値データ６４を確定値ＤＢ３２に蓄積する。
【００６７】
図８は、パラメータの初期値及び確定値の一例を示す模式図である。本図は、入力画面１４０（図６及び図７）を介して設定可能である各パラメータの対応表を示す。この表内には、識別用の番号、パラメータ名、初期値（データテンプレート６２を構成する各値）、及び確定値（確定値データ６４を構成する各値）がそれぞれ列記されている。
【００６８】
このようにして、パラメータ設定支援システム３８は、各印刷物２２に適した印刷ジョブを生成するための動作を終了する。その後、印刷物生産システム１０は、ストレージ装置２８により記憶された確定値データ６４を適時読み出した上で、当該印刷ジョブを実行する。
【００６９】
［パラメータ設定支援システム３８の動作（後半）］
ところで、パラメータ設定支援システム３８は、パラメータの設定操作を支援するためのモード（すなわち、設定支援モード）を搭載する。以下、「設定支援モード」の具体的動作について、図４のフローチャートと共に、図９〜図１１を参照しながら説明する。
【００７０】
図４のステップＳ４において、端末側制御部５０は、［ヘルプ］ボタン１２８（図５）がクリックされた場合に設定支援モードが「オン」状態であると判定し（ステップＳ３：ＯＮ）、ステップＳ４とは別のステップ（Ｓ７）に進む。このとき、作業端末１８は、設定支援モードが「オン」状態である旨をサーバ装置１６に通知する。
【００７１】
ステップＳ７において、サーバ装置１６のデータ取得部８８は、テンプレート名「Ｏｒｉｇｉｎａｌ  Ｔｅｍｐｌｅｔｅ」に紐付けられたデータテンプレート６２及び複数の確定値データ６４をそれぞれ取得する。なお、複数の確定値データ６４は、このデータテンプレート６２を初期値として呼び出した後に最終的に設定された、過去の複数回分の確定値データ６４に相当する。
【００７２】
ステップＳ８において、差分統計処理部９０は、ステップＳ７で取得された各種データに基づいて所定の統計処理を実行する。差分統計処理部９０による具体的な処理方法について、図９を参照しながら詳細に説明する。
【００７３】
図９に示すように、差分統計処理部９０は、各確定値データ６４とデータテンプレート６２との間における差分データに対して統計処理を実行することで、差分統計データ６６を出力する。ここで、統計処理は、統計学的手法を用いた任意の演算処理を意味する。
【００７４】
本図例における差分統計データ６６は、固定使用率（単位：％）及び内訳からなる。「固定使用率」は、初期値からの変更がなくそのまま設定された割合を示し、１００×（確定値が初期値に等しいデータ数）／（全体のデータ数）で求められる。また、「内訳」は、確定値が初期値と異なる場合における、各値の設定割合を示す。本図例では、テンプレート名「Ｏｒｉｇｉｎａｌ  Ｔｅｍｐｌｅｔｅ」における「レンダリング意図」の初期値が「彩度一致」である場合、そのまま使用された割合が７５％、「印象一致」、「明度一致」に変更された割合がそれぞれ２０％、５％であることを示す。
【００７５】
なお、差分統計データ６６は、ヒストグラムを含む統計分布の他、例えば、平均値、最頻値、中央値、最大値、及び最小値のうち少なくとも１種類の統計量であってもよい。また、統計処理に供される母集団数、パラメータの数及び組み合わせ等については任意に変更可能である。
【００７６】
ステップＳ９において、パラメータ設定支援システム３８は、差分統計データ６６に関する送受信処理を行う。この処理に先立ち、サーバ装置１６は、差分統計データ６６をメモリ８６に一時的に記憶させる。そして、サーバ装置１６は、通信Ｉ／Ｆ８２を介して、差分統計データ６６を含む通信データを作業端末１８に向けて送信する。そして、作業端末１８は、ＬＡＮ２６、端末側Ｉ／Ｆ５２を介して通信データを受信する。その後、端末側制御部５０は、通信データに含まれる差分統計データ６６を端末側メモリ５８に一時的に記憶させる。
【００７７】
ステップＳ１０において、ユーザ・インターフェース部６０は、ステップＳ８で実行された統計処理の結果を表示する。表示に先立ち、結果画像作成部７４は、端末側メモリ５８から差分統計データ６６を読み出し、この差分統計データ６６を用いて結果画像１６４〜１６６を作成する。そして、画面作成部７２は、ウィンドウＷ３（結果画像１６４等を含む）の表示用データを作成した後、該表示用データを表示部５６に向けて出力する。これにより、表示部５６には、設定支援画面１６０を含むウィンドウＷ３が新たに表示される。
【００７８】
図１０に示すように、ウィンドウＷ３は、ウィンドウＷ１の右側周辺に配置されている。そして、設定支援画面１６０上には、統計処理の結果を示す結果表示欄１６２が設けられている。結果表示欄１６２内には、上から順に、「色変換」に関する結果画像１６４、「面付け」に関する結果画像１６５、及び「オーバープリント」に関する結果画像１６６が配されている。パラメータ毎の結果画像１６４〜１６６には、過去の使用率（単位：％）を可視化したヒストグラム１６８及び文字列１７０が含まれる。
【００７９】
作業者は、結果画像１６４を視認することで、テンプレート名「Ｏｒｉｇｉｎａｌ  Ｔｅｍｐｌｅｔｅ」を選択した場合、色変換「あり」で設定された割合は９０％であり、色変換「なし」で設定された割合は１０％であることを把握できる。このように、作業者は、過去の統計データを手掛かりにして、現在編集中の印刷ジョブにてどの値を設定すべきかを判断し易くなる。
【００８０】
なお、結果画像１６４〜１６６は、統計処理の結果を可視化する機能の他、ウィンドウＷ２（図６、図７の入力画面１４０）の呼び出し機能を兼ね備えてもよい。例えば、ユーザ・インターフェース部６０は、結果画像１６４を指示する操作に応じて、統計処理の対象であるパラメータ（ここでは「色変換」）の値を変更自在なユーザコントロール１４８（ウィンドウＷ２）を呼び出して表示してもよい。結果画像１６４を指示する操作として、例えば、結果画像１６４上の位置にカーソル１７２を合わせた状態下でのクリック操作が挙げられる。
【００８１】
ところで、ユーザ・インターフェース部６０は、図１０例とは異なる表示形態で、統計処理の結果を表示してもよい。画面作成部７２は、ウィンドウＷ４（結果画像１８４、１８６を含む）の表示用データを作成した後、該表示用データを表示部５６に向けて出力する。これにより、表示部５６には、設定支援画面１８０を含むウィンドウＷ４が新たに表示される。
【００８２】
図１１に示すように、ウィンドウＷ４は、ウィンドウＷ２の右側周辺に配置されている。そして、設定支援画面１８０上には、パラメータのソート順を示す表示欄１８２、統計処理の結果を示す結果画像１８４、１８６が配置されている。パラメータ毎の結果画像１８４、１８６は、過去の使用率（単位：％）に関するバーグラフを示す画像である。
【００８３】
このように、ユーザ・インターフェース部６０は、統計処理の対象であるパラメータの値を変更自在なユーザコントロール１４８〜１５５と共に、結果画像１８４、１８６を同時に（或いは、一緒に又は一遍に）表示してもよい。これにより、結果画像１８４、１８６を視認しながらパラメータの値を変更可能であり、作業者にとって便宜である。
【００８４】
また、結果画像作成部７４は、ヒストグラムを示す結果画像１６４〜１６６、又は、バーグラフを示す結果画像１８４、１８６をパラメータ毎に作成してもよい。これにより、作業者は、パラメータ毎の設定履歴を一層容易に把握できる。
【００８５】
また、結果画像作成部７４は、確定値が初期値と異なる頻度が高い順又は低い順に、複数のパラメータをソートした結果画像１８４、１８６を作成してもよい。これにより、作業者は、変更する蓋然性の高い（又は低い）パラメータを容易に把握できる。
【００８６】
［第１実施形態による効果］
パラメータ設定支援システム３８は、印刷に関するパラメータの初期値の集合体であるデータテンプレート６２を取得するテンプレート取得部６８と、データテンプレート６２を呼び出して初期値の集合体を表示すると共に、パラメータの各値を変更自在であるユーザ・インターフェース部６０と、過去に複数回設定されたパラメータの確定値の集合体（確定値データ６４）と、初期値の集合体との間における複数の差分データに対して統計処理を実行する差分統計処理部９０と、統計処理の結果を示す結果画像１６４〜１６６、１８４、１８６を作成する結果画像作成部７４を備える。そして、ユーザ・インターフェース部６０にてデータテンプレート６２を新たに呼び出して初期値の集合体を表示する際に結果画像１６４〜１６６、１８４、１８６を同時に表示する。
【００８７】
このように構成したので、作業者は、パラメータの差分（変更分）の統計量を示す結果画像１６４〜１６６、１８４、１８６を視認することで、過去に複数回設定されたパラメータの傾向を容易に把握可能である。これにより、予め呼び出したデータテンプレート６２を基にしてパラメータの設定値を適宜修正する際、特に有用な情報を作業者に提示できる。
【００８８】
なお、「同時に表示」には、同一の時点に表示する場合に限られず、作業者が一度に視認可能な形態で表示する場合も含まれる。具体的には、別個のウィンドウＷ２、Ｗ３を一度に表示する場合の他、同一のウィンドウ内に表示する場合、ウィンドウ内に配置されたタブを介して切り替えて表示する場合が挙げられる。更に、所定の時間間隔で交互に表示する「あおり表示」であってもよい。
【００８９】
＜第２実施形態＞
続いて、第２実施形態に係るパラメータ設定支援システムについて、図１２〜図１４を参照しながら説明する。なお、第１実施形態と同様の構成については、同一の参照符号を付すると共にその説明を省略する。
【００９０】
［印刷物生産システム２００の全体構成図］
図１２は、第２実施形態に係るパラメータ設定支援システム２０２を組み込んだ印刷物生産システム２００の全体構成図である。印刷物生産システム２００は、印刷物生産システム１０（図１）と基本的に同様の構成であるが、第１実施形態とは別のパラメータ設定支援システム２０２が構築されている点で異なっている。
【００９１】
パラメータ設定支援システム２０２は、作業端末１８及びストレージ装置２８の他、サーバ装置１６（図１）とは処理機能が異なるサーバ装置２０４から構成されている。なお、ストレージ装置２８内には、テンプレートＤＢ３０の他、差分データに関するデータベース（以下、差分ＤＢ２０６）が構築されている。
【００９２】
［作業端末１８の電気的なブロック図］
図１２の作業端末１８は、第１実施形態（図２）と同様の構成であるため、ブロック図に関する説明を省略する。
【００９３】
［サーバ装置２０４の電気的なブロック図］
図１３は、図１２に示すサーバ装置２０４の電気的なブロック図である。サーバ装置２０４は、サーバ装置１６と基本的に同様の構成である。ただし、制御部８０は、データ取得部８８及び差分統計処理部９０の他、データテンプレート６２と確定値データ６４の間にて差分演算を実行することで差分データを取得する差分演算部２０８の機能を更に実現可能である。
【００９４】
［パラメータ設定支援システム２０２の動作］
第２実施形態に係るパラメータ設定支援システム２０２は、以上のように構成される。続いて、図２に示す作業端末１８及び図１３に示すサーバ装置２０４の動作について、図１４のフローチャートを主に参照しながら詳細に説明する。
【００９５】
ステップＳ１１において、作業者は、呼び出し対象であるテンプレート名を、ユーザ・インターフェース部６０（図２）を介して選択する。ステップＳ１２において、作業端末１８は、ステップＳ１１で選択されたテンプレート名に紐付けられたデータテンプレート６２（図２）を取得する。ここで、ステップＳ１１は図４のステップＳ１に対応すると共に、ステップＳ１２は図４のステップＳ２に対応する。
【００９６】
ステップＳ１３において、端末側制御部５０は、「設定支援モード」のオン・オフ状態を判定する。設定支援モードが「オフ」状態であると判定された場合（ステップＳ１３：ＯＦＦ）、次のステップ（Ｓ１４）に進む。
【００９７】
ステップＳ１４において、ユーザ・インターフェース部６０は、ステップＳ１２で取得されたデータテンプレート６２を呼び出して、パラメータの初期値の集合体を入力画面１４０上に表示する。ステップＳ１５において、作業端末１８は、ユーザ・インターフェース部６０を介する各パラメータの設定を行う。ここで、ステップＳ１４は図４のステップＳ４に対応すると共に、ステップＳ１５は図４のステップＳ５に対応する。
【００９８】
ステップＳ１６において、サーバ装置２０４は、ステップＳ１５で設定された確定値データ６４に関する差分データをストレージ装置２８に保存させる。この処理に先立ち、作業端末１８は、確定値データ６４を端末側メモリ５８に一時的に記憶させる。そして、作業端末１８は、端末側Ｉ／Ｆ５２を介して、確定値データ６４を含む通信データをサーバ装置２０４に向けて送信する。そして、サーバ装置２０４は、ＬＡＮ２６、通信Ｉ／Ｆ８２を介して通信データを受信する。
【００９９】
差分演算部２０８は、受信された確定値データ６４と、データテンプレート６２との間にて差分演算を実行することで差分データを取得する。そして、制御部８０は、差分演算部２０８により取得された差分データを、接続Ｉ／Ｆ８４を介してストレージ装置２８側に供給する。これにより、ストレージ装置２８は、今回の設定に応じた差分データを保存することで、この差分データを差分ＤＢ２０６に蓄積する。
【０１００】
一方、図１４のステップＳ１３において、端末側制御部５０は、設定支援モードが「オン」状態であると判定した場合（ステップＳ１３：ＯＮ）、ステップＳ１７に進む。
【０１０１】
ステップＳ１７において、サーバ装置２０４のデータ取得部８８は、テンプレート名「Ｏｒｉｇｉｎａｌ  Ｔｅｍｐｌｅｔｅ」に紐付けられた複数の差分データを、差分ＤＢ２０６から取得する。ステップＳ１８において、差分統計処理部９０は、ステップＳ１７で取得された複数の差分データに基づいて統計処理を実行する。ステップＳ１９において、パラメータ設定支援システム２０２は、差分統計データ６６に関する送受信処理を行う。ステップＳ２０において、ユーザ・インターフェース部６０は、ステップＳ１８で実行された統計処理の結果を表示する。
【０１０２】
［第２実施形態による効果］
以上のように、確定値ＤＢ３２に代替して差分ＤＢ２０６を構築しても、第１実施形態と同様の作用効果が得られる。特に、差分データのみを記憶・管理することで、取り扱うデータ量を大幅に削減することができる。
【０１０３】
＜補足＞
なお、この発明は、上述した実施形態に限定されるものではなく、この発明の主旨を逸脱しない範囲で自由に変更できることは勿論である。
【符号の説明】
【０１０４】
１０、２００…印刷物生産システム          １６、２０４…サーバ装置
１８…作業端末                            ２２…印刷物
２４…印刷装置                            ２８…ストレージ装置
３０…テンプレートＤＢ                    ３２…確定値ＤＢ
３８、２０２…パラメータ設定支援システム  ５０…端末側制御部
５８…端末側メモリ                        ６０…ユーザ・インターフェース部
６２…データテンプレート                  ６４…確定値データ
６６…差分統計データ                      ６８…テンプレート取得部
７４…結果画像作成部                      ８０…制御部
８６…メモリ                              ９０…差分統計処理部
１００…編集画面                          １４０…入力画面
１６０、１８０…設定支援画面
１６４〜１６６、１８４、１８６…結果画像  ２０６…差分ＤＢ
２０８…差分演算部                        Ｗ１〜Ｗ４…ウィンドウ
【図１】
2015069489.tif 000003
【図２】
2015069489.tif 000004
【図３】
2015069489.tif 000005
【図４】
2015069489.tif 000006
【図５】
2015069489.tif 000007
【図６】
2015069489.tif 000008
【図７】
2015069489.tif 000009
【図８】
2015069489.tif 000010
【図９】
2015069489.tif 000011
【図１０】
2015069489.tif 000012
【図１１】
2015069489.tif 000013
【図１２】
2015069489.tif 000014
【図１３】
2015069489.tif 000015
【図１４】
2015069489.tif 000016
【手続補正書】
【提出日】平成27年1月14日(2015.1.14)
【手続補正１】
【補正対象書類名】明細書
【補正対象項目名】００７０
【補正方法】変更
【補正の内容】
【００７０】
図４のステップＳ３において、端末側制御部５０は、［ヘルプ］ボタン１２８（図５）がクリックされた場合に設定支援モードが「オン」状態であると判定し（ステップＳ３：ＯＮ）、ステップＳ４とは別のステップ（Ｓ７）に進む。このとき、作業端末１８は、設定支援モードが「オン」状態である旨をサーバ装置１６に通知する。
【手続補正２】
【補正対象書類名】明細書
【補正対象項目名】００７１
【補正方法】変更
【補正の内容】
【００７１】
ステップＳ７において、サーバ装置１６のデータ取得部８８は、テンプレート名「Ｏｒｉｇｉｎａｌ  Ｔｅｍｐｌａｔｅ」に紐付けられたデータテンプレート６２及び複数の確定値データ６４をそれぞれ取得する。なお、複数の確定値データ６４は、このデータテンプレート６２を初期値として呼び出した後に最終的に設定された、過去の複数回分の確定値データ６４に相当する。
【手続補正３】
【補正対象書類名】明細書
【補正対象項目名】００７４
【補正方法】変更
【補正の内容】
【００７４】
本図例における差分統計データ６６は、固定使用率（単位：％）及び内訳からなる。「固定使用率」は、初期値からの変更がなくそのまま設定された割合を示し、１００×（確定値が初期値に等しいデータ数）／（全体のデータ数）で求められる。また、「内訳」は、確定値が初期値と異なる場合における、各値の設定割合を示す。本図例では、テンプレート名「Ｏｒｉｇｉｎａｌ  Ｔｅｍｐｌａｔｅ」における「レンダリング意図」の初期値が「彩度一致」である場合、そのまま使用された割合が７５％、「印象一致」、「明度一致」に変更された割合がそれぞれ２０％、５％であることを示す。
【手続補正４】
【補正対象書類名】明細書
【補正対象項目名】００７９
【補正方法】変更
【補正の内容】
【００７９】
作業者は、結果画像１６４を視認することで、テンプレート名「Ｏｒｉｇｉｎａｌ  Ｔｅｍｐｌａｔｅ」を選択した場合、色変換「あり」で設定された割合は９０％であり、色変換「なし」で設定された割合は１０％であることを把握できる。このように、作業者は、過去の統計データを手掛かりにして、現在編集中の印刷ジョブにてどの値を設定すべきかを判断し易くなる。
【手続補正５】
【補正対象書類名】明細書
【補正対象項目名】０１０１
【補正方法】変更
【補正の内容】
【０１０１】
ステップＳ１７において、サーバ装置２０４のデータ取得部８８は、テンプレート名「Ｏｒｉｇｉｎａｌ  Ｔｅｍｐｌａｔｅ」に紐付けられた複数の差分データを、差分ＤＢ２０６から取得する。ステップＳ１８において、差分統計処理部９０は、ステップＳ１７で取得された複数の差分データに基づいて統計処理を実行する。ステップＳ１９において、パラメータ設定支援システム２０２は、差分統計データ６６に関する送受信処理を行う。ステップＳ２０において、ユーザ・インターフェース部６０は、ステップＳ１８で実行された統計処理の結果を表示する。